【手続補正書】
【提出日】平成30年10月4日(2018.10.4)
【手続補正１】
【補正対象書類名】特許請求の範囲
【補正対象項目名】全文
【補正方法】変更
【補正の内容】
【特許請求の範囲】
【請求項１】
各々が画像データを取得する複数の第１取得手段と、
前記複数の第１取得手段の取得結果に基づいて、少なくとも１つの第１取得手段によって取得された画像データを、表示対象として決定する決定手段と、
２つ以上の第１取得手段によって取得された２つ以上の画像データが前記表示対象として決定された場合に、前記２つ以上の画像データに基づく２つ以上の画像を並べて表示する第１表示モードを設定し、１つの第１取得手段によって取得された１つの画像データが前記表示対象として決定された場合に、前記１つの画像データに基づく１つの画像を表示する第２表示モードを設定する設定手段と、
を有し、
前記決定手段は、複数の画像データが取得され、かつ、前記複数の画像データのフォーマットが同一でない場合に、前記複数の画像データのフォーマットに基づいて１つのフォーマットを決定し、前記１つのフォーマットを有する画像データを前記表示対象として決定する
ことを特徴とする表示制御装置。
【請求項２】
前記決定手段は、複数の画像データが取得され、かつ、前記複数の画像データのフォーマットが同一である場合に、前記複数の画像データを前記表示対象として決定する
ことを特徴とする請求項１に記載の表示制御装置。
【請求項３】
前記決定手段は、３つ以上の画像データが取得され、かつ、前記３つ以上の画像データのうちの１つの画像データのフォーマットが、前記３つ以上の画像データのうちの残り全ての画像データのフォーマットと異なり、かつ、前記残り全ての画像データのフォーマットが同一である場合に、当該１つの画像データを前記表示対象として決定する
ことを特徴とする請求項１または２に記載の表示制御装置。
【請求項４】
前記決定手段は、複数の画像データが取得され、かつ、前記複数の画像データのフォーマットが同一でなく、かつ、所定の情報が付加された画像データが前記複数の画像データに含まれている場合に、前記所定の情報が付加された画像データを前記表示対象として決定する
ことを特徴とする請求項１〜３のいずれか１項に記載の表示制御装置。
【請求項５】
前記決定手段は、複数の画像データが取得され、かつ、前記複数の画像データのフォーマットが同一でなく、かつ、所定の情報が付加された画像データと、前記所定の情報が付加された画像データのフォーマットと同じフォーマットを有する画像データとが前記複数の画像データに含まれている場合に、前記所定の情報が付加された画像データと、前記所定の情報が付加された画像データのフォーマットと同じフォーマットを有する画像データとを前記表示対象として決定する
ことを特徴とする請求項１〜４のいずれか１項に記載の表示制御装置。
【請求項６】
前記所定の情報は、ペイロード情報である
ことを特徴とする請求項４または５に記載の表示制御装置。
【請求項７】
画像データのフォーマットに関する情報であるフォーマット情報を取得する第２取得手段をさらに有し、
前記決定手段は、複数の画像データが取得され、かつ、前記第２取得手段によって前記フォーマット情報が取得された場合に、前記第２取得手段によって取得された前記フォーマット情報に基づいて、前記表示対象を決定する
ことを特徴とする請求項１〜６のいずれか１項に記載の表示制御装置。
【請求項８】
前記決定手段は、
複数の画像データが取得され、かつ、第１の解像度に関するフォーマット情報が前記第２取得手段により取得された場合に、前記複数の画像データを前記表示対象として決定し、
複数の画像データが取得され、かつ、第１の解像度よりも低い第２の解像度に関するフォーマット情報が前記第２取得手段により取得された場合に、前記複数の画像データのうち前記フォーマット情報に関連したフォーマットと同じフォーマットを有する画像データを、前記表示対象として決定する
ことを特徴とする請求項７に記載の表示制御装置。
【請求項９】
前記フォーマットは、解像度、フレームレート、及び、伝送方式の少なくともいずれかを含む
ことを特徴とする請求項１〜８のいずれか１項に記載の表示制御装置。
【請求項１０】
各々が画像データを取得する複数の第１取得手段と、
前記複数の第１取得手段の取得結果に基づいて、少なくとも１つの第１取得手段によって取得された画像データを、表示対象として決定する決定手段と、
２つ以上の第１取得手段によって取得された２つ以上の画像データが前記表示対象として決定された場合に、前記２つ以上の画像データに基づく２つ以上の画像を並べて表示する第１表示モードを設定し、１つの第１取得手段によって取得された１つの画像データが前記表示対象として決定された場合に、前記１つの画像データに基づく１つの画像を表示する第２表示モードを設定する設定手段と、
を有し、
前記決定手段は、複数の画像データが取得された場合に、前記複数の画像データにダミー画像が含まれているか否かを判別し、前記ダミー画像以外の１つ以上の画像データを前記表示対象として決定する
ことを特徴とする表示制御装置。
【請求項１１】
前記決定手段は、前記複数の画像データのフォーマットに基づいて、前記ダミー画像が含まれているか否かを判別する
ことを特徴とする請求項１０に記載の表示制御装置。
【請求項１２】
前記決定手段は、前記複数の画像データの付加情報に基づいて、前記ダミー画像が含まれているか否かを判別する
ことを特徴とする請求項１０に記載の表示制御装置。
【請求項１３】
各々で画像データを取得する複数の第１取得ステップと、
前記複数の第１取得ステップの取得結果に基づいて、少なくとも１つの第１取得ステップによって取得された画像データを、表示対象として決定する決定ステップと、
２つ以上の第１取得ステップによって取得された２つ以上の画像データが前記表示対象として決定された場合に、前記２つ以上の画像データに基づく２つ以上の画像を並べて表示する第１表示モードを設定し、１つの第１取得ステップによって取得された１つの画像データが前記表示対象として決定された場合に、前記１つの画像データに基づく１つの画像を表示する第２表示モードを設定する設定ステップと、
を有し、
前記決定ステップでは、複数の画像データが取得され、かつ、前記複数の画像データのフォーマットが同一でない場合に、前記複数の画像データのフォーマットに基づいて１つのフォーマットを決定し、前記１つのフォーマットを有する画像データを前記表示対象として決定する
ことを特徴とする表示制御方法。
【請求項１４】
各々で画像データを取得する複数の第１取得ステップと、
前記複数の第１取得ステップの取得結果に基づいて、少なくとも１つの第１取得ステップによって取得された画像データを、表示対象として決定する決定ステップと、
２つ以上の第１取得ステップによって取得された２つ以上の画像データが前記表示対象として決定された場合に、前記２つ以上の画像データに基づく２つ以上の画像を並べて表示する第１表示モードを設定し、１つの第１取得ステップによって取得された１つの画像データが前記表示対象として決定された場合に、前記１つの画像データに基づく１つの画像を表示する第２表示モードを設定する設定ステップと、
を有し、
前記決定ステップでは、複数の画像データが取得された場合に、前記複数の画像データにダミー画像が含まれているか否かを判別し、前記ダミー画像以外の１つ以上の画像データを前記表示対象として決定する
ことを特徴とする表示制御方法。
【請求項１５】
請求項１３または１４に記載の表示制御方法の各ステップをコンピュータに実行させるためのプログラム。
【手続補正２】
【補正対象書類名】明細書
【補正対象項目名】００１１
【補正方法】変更
【補正の内容】
【００１１】
本発明の第１の態様は、
各々が画像データを取得する複数の第１取得手段と、
前記複数の第１取得手段の取得結果に基づいて、少なくとも１つの第１取得手段によって取得された画像データを、表示対象として決定する決定手段と、
２つ以上の第１取得手段によって取得された２つ以上の画像データが前記表示対象として決定された場合に、前記２つ以上の画像データに基づく２つ以上の画像を並べて表示する第１表示モードを設定し、１つの第１取得手段によって取得された１つの画像データが
前記表示対象として決定された場合に、前記１つの画像データに基づく１つの画像を表示する第２表示モードを設定する設定手段と、
を有し、
前記決定手段は、複数の画像データが取得され、かつ、前記複数の画像データのフォーマットが同一でない場合に、前記複数の画像データのフォーマットに基づいて１つのフォーマットを決定し、前記１つのフォーマットを有する画像データを前記表示対象として決定する
ことを特徴とする表示制御装置である。
本発明の第２の態様は、
各々が画像データを取得する複数の第１取得手段と、
前記複数の第１取得手段の取得結果に基づいて、少なくとも１つの第１取得手段によって取得された画像データを、表示対象として決定する決定手段と、
２つ以上の第１取得手段によって取得された２つ以上の画像データが前記表示対象として決定された場合に、前記２つ以上の画像データに基づく２つ以上の画像を並べて表示する第１表示モードを設定し、１つの第１取得手段によって取得された１つの画像データが前記表示対象として決定された場合に、前記１つの画像データに基づく１つの画像を表示する第２表示モードを設定する設定手段と、
を有し、
前記決定手段は、複数の画像データが取得された場合に、前記複数の画像データにダミー画像が含まれているか否かを判別し、前記ダミー画像以外の１つ以上の画像データを前記表示対象として決定する
ことを特徴とする表示制御装置である。
【手続補正３】
【補正対象書類名】明細書
【補正対象項目名】００１２
【補正方法】変更
【補正の内容】
【００１２】
本発明の第３の態様は、
各々で画像データを取得する複数の第１取得ステップと、
前記複数の第１取得ステップの取得結果に基づいて、少なくとも１つの第１取得ステップによって取得された画像データを、表示対象として決定する決定ステップと、
２つ以上の第１取得ステップによって取得された２つ以上の画像データが前記表示対象として決定された場合に、前記２つ以上の画像データに基づく２つ以上の画像を並べて表示する第１表示モードを設定し、１つの第１取得ステップによって取得された１つの画像データが前記表示対象として決定された場合に、前記１つの画像データに基づく１つの画像を表示する第２表示モードを設定する設定ステップと、
を有し、
前記決定ステップでは、複数の画像データが取得され、かつ、前記複数の画像データのフォーマットが同一でない場合に、前記複数の画像データのフォーマットに基づいて１つのフォーマットを決定し、前記１つのフォーマットを有する画像データを前記表示対象として決定する
ことを特徴とする表示制御方法である。
本発明の第４の態様は、
各々で画像データを取得する複数の第１取得ステップと、
前記複数の第１取得ステップの取得結果に基づいて、少なくとも１つの第１取得ステップによって取得された画像データを、表示対象として決定する決定ステップと、
２つ以上の第１取得ステップによって取得された２つ以上の画像データが前記表示対象として決定された場合に、前記２つ以上の画像データに基づく２つ以上の画像を並べて表
示する第１表示モードを設定し、１つの第１取得ステップによって取得された１つの画像データが前記表示対象として決定された場合に、前記１つの画像データに基づく１つの画像を表示する第２表示モードを設定する設定ステップと、
を有し、
前記決定ステップでは、複数の画像データが取得された場合に、前記複数の画像データにダミー画像が含まれているか否かを判別し、前記ダミー画像以外の１つ以上の画像データを前記表示対象として決定する
ことを特徴とする表示制御方法である。
【手続補正４】
【補正対象書類名】明細書
【補正対象項目名】００１３
【補正方法】変更
【補正の内容】
【００１３】
本発明の第３の態様は、上述した表示制御方法の各ステップをコンピュータに実行させるためのプログラムである。
【手続補正５】
【補正対象書類名】明細書
【補正対象項目名】００３１
【補正方法】変更
【補正の内容】
【００３１】
ここで、２Ｋ画像の表示を目的とした画像データの送受信が、ＰＣ２０４と画像表示装置１００の間で行われることがある。この場合、例えば、表示が望まれる２Ｋ画像データが画像送信部２０５から出力され、ダミー画像データが画像送信部２０６〜２０８から出力される。ダミー画像データの色、輝度、フレームレート、伝送方式、解像度、等の少なくともいずれかは、表示が望まれる２Ｋ画像データのそれと異なる。そのため、マルチ表示モードが設定された場合には、図３に示すような画像表示が行われる。図３から、表示が望まれていない画像が画面領域２０１〜２０３に表示されており、不適切な画像表示（見苦しい画像表示）が行われていることがわかる。一方、シングル表示モードが設定された場合には、図４に示すような画像表示が行われる。図４から、表示が望まれた画像のみが画面の中央部４００に表示されており、適切な表示が行われていることがわかる。
【手続補正６】
【補正対象書類名】図面
【補正対象項目名】図５
【補正方法】変更
【補正の内容】
【図５】
2017072644.tif 000001